(57)【特許請求の範囲】
【請求項１】
有底筒状に形成されて内部に内容物を収容する収容空間（７）を備える容器本体（２）と、
内容物の流出孔（３ｄ）を備え、前記容器本体（２）に装着されて前記容器本体（２）の開口を覆う隔壁部材（３）と、
前記隔壁部材（３）の上面に設けられ、内側部分が前記流出孔（３ｄ）に連なるシリンダ（１０）と、
内側に流入室（１３）を区画形成するとともに前記流入室（１３）を外部に連通させる流入孔（１１ｃ）を備えた有底円筒状に形成され、前記シリンダ（１０）の内側に昇降自在に収容されて前記隔壁部材（３）との間に前記流出孔（３ｄ）に連なる加圧室（１２）を区画形成するピストンガイド（１１）と、
前記ピストンガイド（１１）を上方に向けて付勢する付勢部材（１５）と、
前記隔壁部材（３）に装着され、前記流出孔（３ｄ）を覆って前記加圧室（１２）から前記収容空間（７）に向けた内容物の流れを阻止するとともに前記収容空間（７）から前記加圧室（１２）に向けた内容物の流れを許容する逆止弁（２０）と、
前記シリンダ（１０）の内面に摺動可能に前記ピストンガイド（１１）に装着され、前記ピストンガイド（１１）が下降すると前記流入孔（１１ｃ）を開き、前記ピストンガイド（１１）が上昇すると前記流入孔（１１ｃ）を閉じるピストン（２１）と、
前記ピストンガイド（１１）の上部に外鍔状に設けられたフランジ本体部（１４ｂ）の上面の外周縁に、上方へ突出した突起片（１４ｃ）を備えたフランジ部材（１４）と、
前記フランジ部材（１４）と嵌合し、前記フランジ部材（１４）との間に内容物の流路を区画形成する受皿部材（４０）と、
弾性体により成形され、前記突起片（１４ｃ）と嵌合することにより前記受皿部材（４０）を圧接するシール部材（４２）と、
を有することを特徴とする受皿付きポンプ容器。
【請求項２】
前記容器本体（２）の内部に昇降可能に設けられ、前記隔壁部材（３）との間に内容物の前記収容空間（７）を区画形成する中皿（６）を備えた請求項１に記載の受皿付きポンプ容器。
【請求項３】
前記フランジ部材（１４）と前記隔壁部材（３）との間に、前記付勢部材（１５）が設けられている請求項１又は２に記載の受皿付きポンプ容器。
【請求項４】
前記シール部材（４２）が前記突起片（１４ｃ）の側面を全周に亘って覆う環状であり、前記シール部材（４２）の平断面形状は円環形状である請求項１〜３のいずれかに記載の受皿付きポンプ容器。
【請求項５】
前記シール部材（４２）が、シール本体（４２ａ）の下面にフィルム（４２ｂ）を配置する構成とした請求項１〜４のいずれかに記載の受皿付きポンプ容器。
【発明の詳細な説明】
【技術分野】
【０００１】
本発明は、容器本体に収容された内容物を受皿部材の受皿面に吐出する受皿付きポンプ容器に関する。
【背景技術】
【０００２】
従来から、例えばリキットファンデーションやクレンジングクリーム等の粘度が比較的高い内容物を収容する容器としては、吐出された内容物をスポンジ等にとって使用し易いことから、受皿部材を押し下げ操作することにより容器本体に収容された内容物を受皿部材に開口する吐出孔から当該受皿部材に向けて吐出させることができる受皿付きポンプ容器が多く用いられている（例えば、特許文献１参照）。
【先行技術文献】
【特許文献】
【０００３】
【特許文献１】特許第４１１２１６３号公報
【発明の概要】
【発明が解決しようとする課題】
【０００４】
しかしながら、上記従来の受皿付きポンプ容器は、吐出孔が常に受皿部材に開口し、オーバーキャップが閉じられることで閉塞される構成となっているので、吐出孔から空気が流入し易いものであった。そのため、例えば空気に触れることによって固化し易い内容物を収容した際に、内容物が吐出孔を塞ぎ吐出不良を生じるおそれがあり、また、空気に触れることで効能が薄れる内容物を収容すると当該内容物の劣化を生じるおそれがある等の問題点があった。
【０００５】
本発明は、上記した従来技術における問題点を解消すべく、創案されたもので、その目的は、吐出孔からの空気の流入を確実に防止して内容物を空気に触れさせることなく収容することができる受皿付きポンプ容器を提供することにある。
【課題を解決するための手段】
【０００６】
上記課題を解決するための手段の主たる構成は、
有底筒状に形成されて内部に内容物を収容する収容空間を備える容器本体と、
内容物の流出孔を備え、前記容器本体に装着されて前記容器本体の開口を覆う隔壁部材と、
前記隔壁部材の上面に設けられ、内側部分が前記流出孔に連なるシリンダと、
内側に流入室を区画形成するとともに前記流入室を外部に連通させる流入孔を備えた有底円筒状に形成され、前記シリンダの内側に昇降自在に収容されて前記隔壁部材との間に前記流出孔に連なる加圧室を区画形成するピストンガイドと、
前記ピストンガイドを上方に向けて付勢する付勢部材と、
前記隔壁部材に装着され、前記流出孔を覆って前記加圧室から前記収容空間に向けた内容物の流れを阻止するとともに前記収容空間から前記加圧室に向けた内容物の流れを許容する逆止弁と、
前記シリンダの内面に摺動可能に前記ピストンガイドに装着され、前記ピストンガイドが下降すると前記流入孔を開き、前記ピストンガイドが上昇すると前記流入孔を閉じるピストンと、
前記ピストンガイドの上部に外鍔状に設けられたフランジ本体部の上面の外周縁に、上方へ突出した突起片を備えたフランジ部材と、
前記フランジ部材と嵌合し、前記フランジ部材との間に内容物の流路を区画形成する受皿部材と、
弾性体により成形され、前記突起片と嵌合することにより前記受皿部材を圧接するシール部材と、
を有することを特徴とする受皿付きポンプ容器である。
【０００７】
本発明の別の構成は、上記した主たる構成の受皿付きポンプ容器において、容器本体の内部に昇降可能に設けられ、隔壁部材との間に内容物の前記収容空間を区画形成する中皿を備えたものである。
【０００８】
本発明の別の構成は、上記した主たる構成の受皿付きポンプ容器において、フランジ部材と隔壁部材との間に、付勢部材が設けられているものである。
【０００９】
本発明の別の構成は、上記した主たる構成の受皿付きポンプ容器において、シール部材が突起片の側面を全周に亘って覆う環状であり、シール部材の平断面形状は円環形状としたものである。
【００１０】
本発明の別の構成は、上記した主たる構成の受皿付きポンプ容器において、シール部材が、シール本体の下面にフィルムを配置する構成としたものである。
【発明の効果】
【００１１】
本発明は、上記した構成となっているので、以下に示す効果を奏する。
【００１２】
本発明によれば、不使用時にはシール部材によって吐出孔が確実に閉塞された状態となるので、吐出孔からの空気の流入を確実に防止して、内容物を空気に触れさせることなく収容することができる。したがって、例えば空気に触れることによって固化し易い内容物や、空気に触れることで効能が薄れる内容物などを、吐出不良や内容物の劣化を生じさせることなく収容することができる。このように、本発明によれば、吐出孔からの空気の流入を確実に防止して内容物を空気に触れさせることなく収容することができる受皿付きポンプ容器を提供することができる。
【００１３】
シール部材が突起片の側面を全周に亘って覆う環状であり、シール部材の平断面形状は円環形状としたものにあっては、内容物をシール部材の内縁からリング状に吐出することができるため、塗布部材に均一に塗布することが可能である。また、シール部材にフィルムを用いるものにあっては、シール部材と受皿本体との圧接時における密着性を高めることができる。
【図面の簡単な説明】
【００１４】
【図１】本発明に係る受皿付きポンプ容器の第１の実施形態を示す半断面図である。
【図２】図１に示す受皿付きポンプ容器の要部を拡大して示す断面図である。
【図３】図２に示す受皿付きポンプ容器の、受皿部材を押し下げた状態の断面図である。
【図４】（ａ）は図１に示す受皿付きポンプ容器の受皿部材付近を拡大して示す断面図であり、（ｂ）は同図（ａ）において受皿部材を押し下げて内容物が吐出された状態の断面図である。
【図５】本発明に係る受皿付きポンプ容器の第２の実施形態を示す半断面図である。
【発明を実施するための形態】
【００１５】
以下、本発明にかかる実施の形態について図面を参照しつつ説明する。
【００１６】
図１に示すように、本発明の第１の実施形態である受皿付きポンプ容器１は、容器本体２を備えている。容器本体２は、底部２ａと、底部２ａの外周縁から上方に延びる筒状の側壁部２ｂとを備えた有底筒状に形成され、その上端が開口している。図示する場合では、容器本体２は、樹脂材料により有底円筒状のジャー（広口瓶）形状に形成されている。なお、容器本体２は樹脂製に限らず、ガラス製や金属製とすることもできる。容器本体２の底部２ａには、外気取り込み用の通気孔２ｃが設けられている。
【００１７】
容器本体２には、例えば樹脂製とされる隔壁部材３が装着され、容器本体２の開口はこの隔壁部材３によって覆われている。図２に示すように、隔壁部材３は、略円板状の隔壁本体３ａと、隔壁本体３ａの外周縁から上方に延びる円筒状の装着筒部３ｂとを有し、装着筒部３ｂから突出する段部３ｃが容器本体２の側壁部２ｂの上端に当接して容器本体２に装着されている。なお、段部３ｃと側壁部２ｂの上端との間には、内容物の漏れ出しを防止する環状シール４を装着するのが好ましい。装着筒部３ｂの上端側は固定部材５のＵ字状部５ａに嵌合固定されており、固定部材５が雌ねじ部５ｂにおいて容器本体２の側壁部２ｂに設けられた雄ねじ部２ｄにねじ結合することにより、隔壁部材３は容器本体２に固定されている。
【００１８】
隔壁本体３ａの軸心には、この隔壁本体３ａを表裏（上下）に貫通するように内容物の流出孔３ｄが設けられている。
【００１９】
図１に示すように、容器本体２の内部には、例えば樹脂製とされる中皿６が設けられている。中皿６は外形略円盤状に形成されており、その外周縁には容器本体２の側壁部２ｂの内周面に全周に亘って当接するシール部６ａが一体に設けられている。中皿６は、シール部６ａが側壁部２ｂの内周面に対して摺動することで容器本体２の内部で上下方向に移動自在つまり昇降可能となっている。容器本体２の内部の隔壁部材３と中皿６との間に区画形成される部分は収容空間７となっており、容器本体２はこの収容空間７に内容物を収容するようになっている。この収容空間７は、中皿６が昇降することにより、その容積が増減される。
【００２０】
容器本体２の収容空間７に収容される内容物は、例えばリキットファンデーションやクレンジングクリーム等のクリーム状の化粧料やゲル状の化粧料など、比較的粘度の高い内容物とするのが好ましい。
【００２１】
図２に示すように、隔壁部材３の上面にはシリンダ１０が設けられている。シリンダ１０は円筒状に形成され、円形に形成された流出孔３ｄと同軸に配置されて当該流出孔３ｄを囲っている。つまり、シリンダ１０の内側部分の空間は、流出孔３ｄに連なっている。なお、図示する場合では、シリンダ１０は隔壁部材３と一体に形成されているが、シリンダ１０を隔壁部材３とは別体に形成されて隔壁部材３に固定される構成とすることもできる。
【００２２】
シリンダ１０の内側には、例えば樹脂製とされるピストンガイド１１が昇降自在に収容されている。このピストンガイド１１は、シリンダ１０と協働して容器本体２の収容空間７から内容物を吸引して外部に吐出させるためのポンプとして機能する。図２に示すように、ピストンガイド１１は、円板状の加圧壁部１１ａと、加圧壁部１１ａの外周縁から少し径方向内側の部分から上方に向けて延びる側壁部１１ｂとを備えた有底円筒状に形成されている。このようなピストンガイド１１がシリンダ１０に配置されることにより、ピストンガイド１１の加圧壁部１１ａと隔壁部材３の隔壁本体３ａとの間には、流出孔３ｄに連なる加圧室１２が区画形成されている。
【００２３】
ピストンガイド１１の内側は、当該ピストンガイド１１により区画形成された流入室１３となっている。また、ピストンガイド１１の側壁部１１ｂには、流入室１３を加圧室１２に連通させる流入孔１１ｃが設けられている。
【００２４】
ピストンガイド１１の上部には、例えば樹脂製とされるフランジ部材１４が設けられている。図２に示すように、フランジ部材１４は、ピストンガイド１１の上端に嵌合固定される固定部１４ａと、固定部１４ａからピストンガイド１１に対して径方向外側に向けて外鍔状に突出するフランジ本体部１４ｂと、フランジ本体部１４ｂの上面の外周縁に上方へ突出している突起片１４ｃと、フランジ本体部１４ｂの下面の外周縁に下方へ延びる円筒状のガイド壁１４ｄと、このガイド壁１４ｄの内側に該ガイド壁１４ｄと同軸に副ガイド壁１４ｆとを一体に設けている。なお、ガイド壁１４ｄの下端には径方向外側に向けて突出する係止突起１４ｅが一体に設けられ、この係止突起１４ｅが固定部材５のＵ字状部５ａの下端に係合することによりフランジ部材１４の抜け出しが防止されるようになっている。
【００２５】
隔壁本体３ａの上面とフランジ本体部１４ｂの下面との間には付勢部材１５が設けられている。本実施の形態においては、付勢部材１５は圧縮コイルばねとなっており、付勢部材１５の弾性力はフランジ部材１４を介してピストンガイド１１に伝達されるようになっている。つまり、ピストンガイド１１は、付勢部材１５により上方に向けて付勢されている。隔壁本体３ａの上面にはシリンダ１０よりも外周側に当該シリンダ１０と同軸に円筒状の支持筒部１６が一体に設けられ、付勢部材１５の下端側はこの支持筒部１６の外側に装着されて当該支持筒部１６により径方向位置が規定されている。また、付勢部材１５は、フランジ部材１４の副ガイド壁１４ｆにより径方向位置が規定されている。
【００２６】
なお、図示する場合では、付勢部材１５を、ピストンガイド１１に固定されたフランジ部材１４と隔壁本体３ａとの間に設けるようにしているが、ピストンガイド１１を上方に向けて付勢することができれば、例えば隔壁本体３ａとピストンガイド１１との間に設け、ピストンガイド１１に固定された他の部材と隔壁本体３ａとの間に設け、あるいはピストンガイド１１と隔壁部材３に支持される他の部材との間に設けるなど、種々の構成を採用することができる。また、付勢部材１５は圧縮コイルばねに限らず、隔壁部材３とピストンガイド１１との間に設けられてピストンガイド１１を上方に付勢することができるものであれば、板ばねやゴム等の弾性体など種々の構成のものを用いることができる。
【００２７】
隔壁部材３には、流出孔３ｄを開閉する逆止弁２０が装着されている。この逆止弁２０は樹脂製となっており、図２に示すように、シリンダ１０の内面に嵌合固定される環状の基部２０ａと、この基部２０ａに弾性変形可能な複数の連結片２０ｂを介して連結される円板状の弁体２０ｃとを備えている。例えば、逆止弁２０は、３本のクランク状の連結片２０ｂによって弁体２０ｃが基部２０ａに連結された３点弁に構成することができる。通常状態（内容物を吐出させる吐出動作が行われていない状態）においては、逆止弁２０は、弁体２０ｃが隔壁本体３ａの上面側から流出孔３ｄを覆って当該流出孔３ｄを閉塞し、加圧室１２から収容空間７に向けた内容物の流れを阻止している。一方、逆止弁２０は、収容空間７から加圧室１２に向けた内容物の流れに対しては、連結片２０ｂの変形により弁体２０ｃが隔壁本体３ａの上面に対して上方に移動して流出孔３ｄを開き、当該内容物の流れを許容する。
【００２８】
ピストンガイド１１には、ピストン２１が装着されている。このピストン２１は、シリンダ１０の内面に対して摺動可能となっており、ピストンガイド１１により案内されて、ピストンガイド１１が下降すると流入孔１１ｃを開き、ピストンガイド１１が上昇すると流入孔１１ｃを閉じるように作動する。より具体的には、図２に示すように、ピストン２１は弾性体により断面Ｈ形状のシール体に形成されており、その外周側においてシリンダ１０の内面に摺接するとともに、ピストンガイド１１の加圧壁部１１ａとフランジ部材１４の固定部１４ａの下端との間でピストンガイド１１に対して上下方向に移動自在となっている。そして、ピストンガイド１１が下降すると、加圧壁部１１ａも下方に移動することによりピストン２１と離間して流入孔１１ｃを開き、当該流入孔１１ｃを介して流入室１３を加圧室１２に連通させる。一方、ピストンガイド１１が上昇すると、ピストン２１は加圧壁部１１ａに当接して流入孔１１ｃを閉じ、流入室１３と加圧室１２との間の連通を遮断する。なお、符号２２は、シリンダ１０と支持筒部１６との間に嵌合固定されてピストン２１の上側の移動ストローク端を規制する規制部材である。
【００２９】
ピストンガイド１１の上部には、流入室１３に流入した内容物を外部に吐出するための吐出孔２３が設けられており、この吐出孔２３から吐出された内容物を受ける樹脂製の受皿部材４０が装着されている。図２に示すように、受皿部材４０は上面が受皿面４１ａとなる受皿本体４１を備えており、受皿部材４０はフランジ部材１４の固定部１４ａの上部に嵌合している。この受皿部材４０と固定部１４ａが嵌合していることにより、図３に示すように、受皿部材４０に加えられる押し下げ力を、フランジ部材１４を介してピストンガイド１１に伝達する。受皿本体４１の上面の受皿面４１ａには、フランジ部材１４の突起片１４ｃの外周面に嵌合固定された、例えば弾性を有する樹脂製とされるシール部材４２のシール本体４２ａの先端部が圧接して密着している。
【００３０】
図１に示すように、容器本体２には受皿部材４０やシール部材４２を覆うキャップＣを取り付けることができる。このキャップＣは、例えばＵ字状部５ａの外周面にアンダーカット係合することにより容器本体２に着脱自在に取り付けられる構成とすることができるが、ねじ結合等の他の手段によって容器本体２に着脱自在に装着される構成とすることもできる。
【００３１】
このような構成の受皿付きポンプ容器１では、通常状態においては、吐出孔２３はシール部材４２によって閉塞されている。この状態から、受皿本体４１又はシール部材４２を下方に押し下げ操作することにより、フランジ部材１４を介してピストンガイド１１を作動させ、当該ピストンガイド１１、シリンダ１０及びピストン２１によるポンプ動作により、容器本体２の収容空間７に収容されている内容物を、加圧室１２、流入室１３及び吐出孔２３を経て受皿本体４１の受皿面４１ａに吐出させることができる。
【００３２】
通常状態では逆止弁２０は閉状態となっているので、ピストンガイド１１が下降してポンプ動作が開始されると、加圧室１２の内部がピストンガイド１１によって加圧されるとともにピストンガイド１１に装着されたピストン２１が、図３に示すように移動して流入孔１１ｃが開かれる。そして、さらにピストンガイド１１が下降すると、加圧室１２の内部の加圧された内容物が、流入孔１１ｃからピストンガイド１１の内側の流入室１３に流入し、当該流入室１３を通って吐出孔２３に供給され、図４（ｂ）に示すようにフランジ部材１４と受皿本体４１の間の吐出流路を通るように、吐出孔２３からフランジ本体部１４ｂの上面と受皿本体４１の下面の間を通り、突起片１４ｃの側壁に沿って上昇してからシール本体４２ａの下面を径方向内側に向かい、その後、シール本体４２ａの先端部の弾性による自閉力を上回ることで、受皿面４１ａに向けて吐出される。この内容物の流路を迂回させるように径方向内側に向けることによって、内容物を外部に飛散させることを防止することができる。
【００３３】
このように、受皿本体４１又はシール部材４２を下方に向けて押し下げ操作することにより、吐出孔２３を開放しつつピストンガイド１１を作動させて吐出孔２３から受皿本体４１の受皿面４１ａに内容物を吐出させることができる。受皿面４１ａに吐出された内容物は、例えばスポンジ等で拭い取って使用することができる。なお、内容物をスポンジで拭い取る場合には、スポンジを受皿面４１ａに向けて押し付けることで受皿本体４１を押し下げ操作することにより、吐出孔２３から吐出された内容物を容易にスポンジに付着させて内容物の取り出しを容易に行うことができる。また、シール本体４２ａを突起片１４ｃの側面を全周に亘って覆う環状に形成し、シール本体４２ａの平断面形状を円環形状（リング状）とすることにより、内容物をシール本体４２ａの内縁からリング状に吐出することができるため、スポンジに均一に塗布することが可能となる。
【００３４】
吐出孔２３から内容物が吐出された後、受皿本体４１又はシール部材４２の押し下げ操作が解除されると、弾性を有する薄肉樹脂からなるシール部材４２が受皿面４１ａと圧接して密着することで、吐出孔２３は閉塞された状態とされる。
【００３５】
一方、受皿本体４１又はシール部材４２の押し下げ操作が解除されると、付勢部材１５の弾性力によりピストンガイド１１が図２に示す初期位置に向けて上方に移動する。このとき、ピストン２１により流入孔１１ｃが閉じられた状態でピストンガイド１１が上昇することになるので、加圧室１２が負圧となって逆止弁２０が開かれ、容器本体２の収容空間７に収容されている内容物が流出孔３ｄから加圧室１２内に向けて流出して加圧室１２に供給される。また、収容空間７から内容物が流出するのに伴って中皿６が容器本体２の内部で上昇し、収容空間７は常に内容物により満たされた状態に維持される。このとき、中皿６が移動した分だけ、通気孔２ｃから容器本体２の中皿６の下方側部分に外気が導入される。したがって、内容物を吐出しても、容器本体２の収容空間７に空気が流入することがなく、常に、受皿本体４１の押し下げ操作によってピストンガイド１１を効率良くポンプ動作させて内容物を効率良く吐出させることができる。
【００３６】
このように、本発明の受皿付きポンプ容器１では、通常状態においては、吐出孔２３をシール部材４２によって確実に閉塞した状態としておき、内容物を吐出するために押し下げ操作されたときにだけ吐出孔２３を開放させるようにしたので、不使用時に吐出孔２３から空気が流入することを確実に防止して、内容物を空気に触れさせることなく収容することができる。これにより、例えば空気に触れることによって固化し易い内容物や、空気に触れることで効能が薄れる内容物などを、吐出不良や内容物の劣化を生じさせることなく、この受皿付きポンプ容器１に収容することができる。
【００３７】
図５は本発明の受皿付きポンプ容器１の第２の実施形態の断面図である。なお、図５においては、前述した部材に対応する部材には同一の符号を付してある。
【００３８】
第２の実施形態の受皿付きポンプ容器１では、図５に示すように、シール部材４２がシール本体４２ａの下面にフィルム４２ｂを配置し、フィルム４２ｂが受皿本体４１を圧接する構成となっている。フィルム４２ｂを用いることによって、シール部材４２と受皿本体４１との密着性を高めることができる。本実施形態では、シール部材４２が突起片１４ｃと嵌合固定される際に、フィルム４２ｂを突起片１４ｃの上端部とシール本体４２ａの下面の間に挟んで固定している。なお、フィルム４２ｂの固定をより強硬なものとするために、シール本体４２ａへのヒートシールやメルト（接着）剤等による接着、超音波やレーザー等による溶着を行っても構わない。また、シール本体４２ａと同様にフィルム４２ｂの平断面形状を円環形状とすることが好ましい。
【００３９】
以上、実施形態に沿って本発明の構成とその作用や効果について説明したが、本発明の実施の形態は上記実施形態に限定されるものではない。
【００４０】
例えば、前記実施形態においては、シール部材４２は、シール本体４２ａやフィルム４２ｂが円環形状に形成されているが、これに限らず、シール本体４２ａやフィルム４２ｂが受皿面４１ａと密着することによって、吐出孔２３を閉塞することができる形状であれば、種々の形状とすることもできる。
【００４１】
さらに上記実施の形態においては、容器本体２内に中皿６を有する場合を説明したが、これに限らず、中皿６を用いずに容器本体２を、内容物を収容する内層体を外層体の内部に収容した２層構造に形成し、内容物の吐出時に外層体と内層体との間に通気孔２ｃから外気を取り入れて内層体のみを収縮させるようにした二重容器や積層剥離容器を用いることもできる。
【産業上の利用可能性】
【００４２】
本発明の受皿付きポンプ容器は、吐出孔からの空気の流入を確実に防止でき、内容物を空気に触れさせることなく収容することができる、受皿付きポンプ容器として広い分野での適用を可能とすることができる。
【符号の説明】
【００４３】
１    ；受皿付きポンプ容器
２    ；容器本体
２ａ  ；底部
２ｂ  ；側壁部
２ｃ  ；通気孔
２ｄ  ；雄ねじ部
３    ；隔壁部材
３ａ  ；隔壁本体
３ｂ  ；装着筒部
３ｃ  ；段部
３ｄ  ；流出孔
４    ；環状シール
５    ；固定部材
５ａ  ；Ｕ字状部
５ｂ  ；雌ねじ部
６    ；中皿
６ａ  ；シール部
７    ；収容空間
１０  ；シリンダ
１１  ；ピストンガイド
１１ａ；加圧壁部
１１ｂ；側壁部
１１ｃ；流入孔
１２  ；加圧室
１３  ；流入室
１４  ；フランジ部材
１４ａ；固定部
１４ｂ；フランジ本体部
１４ｃ；突起片
１４ｄ；ガイド壁
１４ｅ；係止突起
１４ｆ；副ガイド壁
１５  ；付勢部材
１６  ；支持筒部
２０  ；逆止弁
２０ａ；基部
２０ｂ；連結片
２０ｃ；円板状の弁体
２１  ；ピストン
２２  ；規制部材
２３  ；突出孔
４０  ；受皿部材
４１  ；受皿本体
４１ａ；受皿面
４２  ；シール部材
４２ａ；シール本体
４２ｂ；フィルム
Ｃ    ；キャップ
【図１】
0006537411.tif 000002
【図２】
0006537411.tif 000003
【図３】
0006537411.tif 000004
【図４】
0006537411.tif 000005
【図５】
0006537411.tif 000006